(57)【要約】【課題】入れ歯安定剤を収納したチューブ容器に対して有効に使用することができ、チューブ容器内の収納液を容易かつ確実に絞り出すことができるとともに、入れ歯を外した際の安定剤のカスを容易に取り除くことができる絞り出し具を提案する。【解決手段】チューブ容器７の末端部をスリット状の開口部４を介して嵌合係止する係止穴５を備えた軸２の端部に把手３を連設し、また、削ぎ取り用のヘラ６を備えて構成した。【選択図】図１
2004210323.tif 000002
【特許請求の範囲】
【請求項１】
チューブ容器７の末端部をスリット状の開口部４を介して嵌合係止する係止穴５を備えた軸２と、該軸２の端部に連設した把手３とからなる絞り出し具であって、削ぎ取り用のヘラ６を備えてなることを特徴とするチューブ容器の絞り出し具。
【請求項２】
チューブ容器７の末端部を挿通してチューブ容器胴部を扱くための貫通孔９を備えた軸２と、該軸２の端部に連設した把手３とからなる絞り出し具であって、削ぎ取り用のヘラ６を備えてなることを特徴とするチューブ容器の絞り出し具。
【請求項３】
上記削ぎ取り用のヘラ６が、大小２種類の削ぎ取り用のヘラである請求項１又は請求項２のいずれかに記載の絞り出し具。
【請求項４】
上記削ぎ取り用のヘラ６を把手３に設けるとともに、該把手３を上記軸２に対して着脱自在に構成してなる請求項１又は請求項２のいずれかに記載の絞り出し具。
【請求項５】
上記貫通孔９内面に抜け出し防止用の突部１１を突設してなる請求項２記載の絞り出し具。
【請求項６】
上記削ぎ取り用のヘラ６を把手３に設けるとともに、該把手３を上記軸２に対して着脱自在に構成し、上記貫通孔９の内面に抜け出し防止用の突部１１を突設してなる請求項２記載の絞り出し具。
【発明の詳細な説明】
【０００１】
【発明の属する技術分野】
本発明はチューブ容器の絞り出し具に関する。
【０００２】
【従来の技術】
チューブ容器の絞り出し具として、チューブ容器の末端部を挿通する挿通孔を穿設した軸の端部に把手を連設したものが提案されている（例えば、特許文献１参照）。
【０００３】
ここに示されているチューブ絞り出し具は、端部に回転用把手を連設した巻込軸の縦軸方向にチューブ尾端挿嵌用の縦スリットと、チューブ挿通用の引出口とを形成し、縦スリットは巻込軸の少なくとも一方の端部を切欠して切り離され、また、その横方向のスリット幅が不使用時に閉じられているか又はチューブ尾端が挟持されるように細めに形成されており、引出口の横方向の幅は、チューブ尾端が抵抗なく挿通できる幅に形成されている。
【０００４】
また、チューブ容器の充填物として入れ歯の安定剤がある。これらは入れ歯を口内の皮膚と直接粘着させて使用時の入れ歯の安定を図るものであるが、これら安定剤に使用しているチューブ容器は比較的硬い材質で製造される場合が多く、また、安定剤自体高粘度のものが多いため絞り出し難い。従って、上記の如き絞り出し具は簡単な操作で充填物を絞り出すことができるものである。また、入れ歯安定剤には入れ歯を外した際にこの安定剤の残りカスが入れ歯に付着している場合が多い。
【０００５】
【特許文献１】
実開平６３−５２７５６号公報（第１−１０頁，図１）
【０００６】
【発明が解決しようとする課題】
本発明は上記した入れ歯安定剤を収納したチューブ容器に対して極めて有効に使用することができる絞り出し具であって、チューブ内収納液を容易かつ確実に絞り出すことかできるとともに、入れ歯を外した際の安定剤の残りカスを容易に取り除くことができる効果を備えた絞り出し具を提案するものである。
【０００７】
また、一旦チューブ容器に装着した際にすると少なくとも軸の部分が外れ難く、そのままの状態で使用終了までチューブ容器に装着しておくことができるため取り扱いが便利であり、また、削り取り用のヘラは着脱が自在に装着させて必要に応じて使用できる如く構成した絞り出し具を提案するものである。
【０００８】
【課題を解決するための手段】
本請求項１発明の絞り出し具は、上記課題を解決するため、チューブ容器７の末端部をスリット状の開口部４を介して嵌合係止する係止穴５を備えた軸２と、該軸２の端部に連設した把手３とからなる絞り出し具であって、削ぎ取り用のヘラ６を備えてなることを特徴とするチューブ容器の絞り出し具として構成した。
【０００９】
また、請求項２発明の絞り出し具は、チューブ容器７の末端部を挿通してチューブ容器胴部を扱くための貫通孔９を備えた軸２と、該軸２の端部に連設した把手３とからなる絞り出し具であって、削ぎ取り用のヘラ６を備えてなることを特徴とするチューブ容器の絞り出し具として構成した。
【００１０】
また、請求項３発明の絞り出し具は、上記削ぎ取り用のヘラ６が、大小２種類の削ぎ取り用のヘラである請求項１又は請求項２のいずれかに記載の絞り出し具。
【００１１】
また、請求項４発明の絞り出し具は、上記削ぎ取り用のヘラ６を把手３に設けるとともに、該把手３を上記軸２に対して着脱自在に構成してなる請求項１又は請求項２のいずれかに記載の絞り出し具として構成した。
【００１２】
また、請求項５発明の絞り出し具は、上記貫通孔９内面に抜け出し防止用の突部１１を突設してなる請求項２記載の絞り出し具として構成した。
【００１３】
また、請求項６発明の絞り出し具は、上記削ぎ取り用のヘラ６を把手３に設けるとともに、該把手３を上記軸２に対して着脱自在に構成し、上記貫通孔９の内面に抜け出し防止用の突部１１を突設してなる請求項２記載の絞り出し具として構成した。
【００１４】
【発明の実施の形態】
以下、本発明の実施例の形態を図面を参照して説明する。
【００１５】
図面に示す如く本発明の絞り出し具１は、軸２と、把手３とを備えている。
【００１６】
軸２は、チューブ容器の末端部をスリット状の開口部を介して嵌合係止する係止穴を備えたもの、或いは、チューブ容器の末端部を挿通してチューブ容器胴部を扱くための貫通孔を備えたものである。
【００１７】
上記係止穴は、図１に示す如く、一端を軸２の端部に開口してチューブ容器の末端部を側方から嵌合することができる如く構成しても良く、或いは図示しないが、軸の長手方向中間部に上記開口部を設けた中空の係止穴であっても良い。また、上記スリット状の開口部４の大きさは種々選択できるが、チューブ容器の末端部が挿通可能で、挿通後の末端部が遊嵌する程度の大きさを採用すると良い。係止穴５の形状も、上記した如くチューブ容器の末端部が挿入可能であれば、種々の形状を採用でき、図２に示す如く、長手方向に直行する縦断面が円形の横長円柱状であっても、或いは、図３に示す如く、同縦断面が長方形状の横長角柱状であっても良く、これらに限られない。
【００１８】
把手３は、軸２の端部に連設したもので、軸２を回動させる際の把持手段、或いは装着したチューブ容器を引き下げる際の軸固定手段として作用する。また、把手３は軸２と一体に形成する場合と、軸２と別体に形成する場合とがある。
【００１９】
本発明では上記の如き絞り出し具に於いて、削ぎ取り用のヘラ６を備えている。このヘラ６はチューブ容器内収納物である入れ歯安定剤を使用した後、入れ歯に付着残存した安定剤のカスを取り除くために設けたものであり、把手に設けても、軸に設けても或いは両方に設けても良い。また、ヘラ６の数は一つに限らず二以上の複数設けることも可能であり、その場合には大きさの異なるものを設けると良い。図１の実施例では把手３の側方に一体に削ぎ取り用のヘラ６を突設しており、また、図５の実施例では軸２の把手３と反対側端部に削ぎ取り用のヘラ６を突設している。更に、図１０の実施例では、把手３の前後に大型の削ぎ取り用のヘラ６及び小型の削ぎ取り用のヘラ６をそれぞれ突設している。
【００２０】
図１は軸に係止孔５を設けた一例を示し、軸２の端部に一端を開口した係止孔５を有し、また、把手３の側方に一体に削ぎ取り用のヘラ６を突設している。この様に構成した絞り出し具１を使用する場合には、例えば、図３に示す如くチューブ容器７の末端部を係止穴５に嵌合させた後、チューブ容器７を固定しつつ把手３を持って軸２を回動させることにより、軸２の周囲にチューブ容器７の胴部８を下端部より順次巻き取り、収納液を上方へ押し上げる。尚、この際容器のキャップを外す。また、上記ヘラ６を使用する場合にはチューブ容器から絞り出し具１を外した後、入れ歯に付着残存したカスをヘラ６により削ぎ落とす。
【００２１】
図６は他の実施例を示すもので、本実施例に於ける軸２は、チューブ容器７の末端部を挿通してチューブ容器胴部８を扱くための貫通孔９を備えている。その他は図１の実施例と同様である。この場合には、図示の如く、チューブ容器７の末端部を貫通孔９の下端の開口部１０より突出させておく。そして必要に応じてチューブ容器を引き下げれば容器体胴部８は順次下から偏平に圧搾され、収納物が押し上げられる如く構成している。この場合も容器のキャップは外す。
【００２２】
また、この場合の貫通孔９の形状も上記要件を満たせば種々採用でき、例えば、図７に示す如く、上端の開口部４及び下端の開口部１０がスリット状をなし、中央部分が断面円形状をなす横長の貫通孔であっても、或いは図８に示す如く、中央部分が断面四角形状をなす横長の貫通孔であっても、或いは、図９に示す如く、上端の開口部４と下端の開口部１０と中間部分が同じ幅の貫通孔９であっても良く、これらに限られない。
【００２３】
図１０及び図１１は本発明の他の実施例を示すもので、上記削ぎ取り用のヘラ６を把手３に設けるとともに、該把手３を上記軸２に対して着脱自在に構成し、上記貫通孔９の内面に抜け出し防止用の突部１１を突設した例を示している。
【００２４】
図示例では、軸２の一側面より角柱状の連結突起１２を突設しており、また、把手３は上記連結突起１２と着脱可能に嵌合する嵌合穴１３を備えた嵌合筒１４を側端部より突設した板状をなし、嵌合筒１４を連結突起１２に嵌合させて連結一体化させている。また、削ぎ取り用のヘラ６は、前部に大型の削ぎ取り用のヘラ６及び後部に小型のそぎ取り用のヘラ６をそれぞれ突設している。大型の削ぎ取り用のヘラ６により大きなカスを、小型のそれにより隅や入り組んだ場所のカスをそれぞれ削ぎ落とす如く構成している。
【００２５】
また、貫通孔９は長手方向に直行する縦断面が上方に広がるテーパ状の上部を有し、下部はチューブ容器７の下端部が比較的容易に通過できる四角形状をなしており、上部と下部の中間部前後に断面鉤型状の一対の突部１１を突設している。従って、チューブ容器７の末端部を貫通孔９に挿通させるとこの抜け出し防止用の突部１１により装着した軸２が外れ難くなる如く構成している。
【００２６】
【発明の効果】
以上説明した如く、本請求項１発明のチューブ容器の絞り出し具は、既述構成としたことにより、入れ歯安定剤を収納したチューブ容器に対しての使用に好適であり、収納物の容易でかつ効率の良い絞り出しを行えるものであり、しかも、入れ歯に付着した残りカスを簡単に取り除くことができものである。
【００２７】
また、請求項２発明の絞り出し具は、同様に入れ歯安定剤を収納したチューブ容器に対しての使用に好適であり、収納物の容易でかつ効率の良い絞り出しを行えるものであり、しかも、入れ歯に付着した残りカスを簡単に取り除くことができものである。
【００２８】
また、請求項３発明の絞り出し具は、大きな残りカスは大きい削ぎ取り用のヘラにより、また、細かい残りカスは小さいそぎ取り用のヘラにより取り除くことができ、効率良く、きれいに残りカスを取り除くことが出来るものである。
【００２９】
また、請求項４発明の絞り出し具は、削ぎ取り用のヘラを使用する場合に簡単に軸から取り外すことができ、使用上すこぶる便利である。
【００３０】
また、請求項５発明の絞り出し具は、一旦装着した軸が不用意に抜け出すことがなく、取り扱いが極めて便利となる。
【００３１】
また、請求項６発明の絞り出し具は、一旦装着した軸が不用意に抜け出すことがなく、従って、チューブ容器に付けっぱなしにしておくことができ、しかも、削ぎ取り用のヘラを使用した場合には簡単に軸から取り外すことができ、使用上すこぶる便利である。
【図面の簡単な説明】
【図１】本発明の一実施例を示す斜視図である。
【図２】図１のＡ−Ａ線に沿う縦断面図である。
【図３】同実施例の作用説明する説明図である。
【図４】同実施例に於ける軸の他の断面形状を示す縦断面図である。
【図５】本発明の他の実施例を示す斜視図である。
【図６】本発明の更に他の実施例を示す斜視図である。
【図７】同実施例に於ける軸の部分の縦断面図である。
【図８】同実施例に於ける軸の他の断面形状を示す縦断面図である。
【図９】同実施例の於ける軸の更に他の断面形状を示す縦断面図である。
【図１０】本発明の更に他の実施例を示す分解斜視図である。
【図１１】図１０のＢ−Ｂ線に沿う縦断面図である。
【符号の説明】
２…軸，３…把手，４…スリット状の開口部，５…係止穴，
６…削ぎ取り用のヘラ，７…チューブ容器，８…チューブ容器胴部，
９…貫通孔，１１…抜け出し防止用の突部，
【図１】
2004210323.tif 000003
【図２】
2004210323.tif 000004
【図３】
2004210323.tif 000005
【図４】
2004210323.tif 000006
【図５】
2004210323.tif 000007
【図６】
2004210323.tif 000008
【図７】
2004210323.tif 000009
【図８】
2004210323.tif 000010
【図９】
2004210323.tif 000011
【図１０】
2004210323.tif 000012
【図１１】
2004210323.tif 000013